(57)【要約】この発明はＲＦシリーズ、及びＲＦＩＤシリーズを使用する位置管理システムの構築方法に関す。この発明は、複数のＲＦＩＤタグが必要な場合でさえ、ＲＦＩＤタグを１つずつ設置する必要なく、複数のＲＦＩＤタグを同時に設置することにより、そして、各ＲＦＩＤのＩＤを自動的に同時に各計算することにより、混乱なく僅かな時間と努力で仕事を完了させることができるＲＦＩＤシステムを構築するＲＦＩＤシリーズ、及びＲＦＩＤシリーズを使用する位置管理システムの構築方法に関する。【選択図】図２
2009523286.tif 000002
【特許請求の範囲】
【請求項１】
複数のＲＦＩＤタグをカバーで包装後、紐状にカプセル化されたＲＦＩＤシリーズであって、
前記ＲＦＩＤタグはある接続間隔で連続的に配置され、そして前記ＲＦＩＤタグ間の一定間隔を表示する区分または色を前記カバー上へコード化することを特徴とするＲＦＩＤシリーズ。
【請求項２】
前記ＲＦＩＤシリーズは、前記ＲＦＩＤタグ１００が前記ＩＤ順序に従い、昇順または降順で連続的に配置することを可能にすること特徴とする、請求項１に記載のＲＦＩＤシリーズ。
【請求項３】
前記ＲＦＩＤタグが前記ＩＤ順序でなく、ランダムに配置され、この場合、前記ＲＦＩＤシリーズが前記ＲＦＩＤのＩＤを順に読み取ることにより記録されるデータベース（即ち、ＲＦＩＤタグ配置情報）を備えることを特徴とする、請求項１に記載のＲＦＩＤシリーズ。
【請求項４】
前記ＲＦＩＤタグＩＤ配置情報が、様々な記録媒体を介して消費者に提供され、そして特に、前記情報がディスケットの形で直接提供され、またはインターネットを介して観察することができる、請求項３に記載のＲＦＩＤシリーズ。
【請求項５】
前記ＲＦＩＤタグのＩＤ及び配置順序が前記カバー上に記録されることを特徴とする、請求項２または３に記載のＲＦＩＤシリーズ。
【請求項６】
前記ある空間をいくつかのゾーンに分割し、そしてそれらに各ゾーンをマーキングするためＲＦＩＤタグを取り付けることによりある空間を管理するための、請求項１に記載のＲＦＩＤシリーズを使用した位置管理システムを構築する方法であって、
ゾーン長さを決定する；
前記ゾーン長さに合わせた接続間隔（ｄ）を有するＲＦＩＤシリーズを設置する；
ＲＦＩＤリーダの使用により前記設置されたＲＦＩＤシリーズの先頭及び後端に設置されたＲＦＩＤタグのＩＤを読み取り、そしてそれらを記録する；
前記データベースからＲＦＩＤタグの前記配置順序とＩＤを観察し、そしてそれらを入力する；及び
前記データベースでＲＦＩＤタグのＩＤと前記対応するゾーンＩＤを順に割り当て、そしてそれらをマッチングさせる、ことからなる方法。
【発明の詳細な説明】
【技術分野】
【０００１】
この発明はＲＦＩＤシリーズ及びＲＦＩＤシリーズを使用する位置管理システムの構築方法に関し、ＲＦＩＤを使用する無線通信分野に属する。
【背景技術】
【０００２】
無線通信識別（以下“ＲＦＩＤ”と称する）システムは、ＲＦＩＤ、アンテナ、リーダ、及びライタから構成される無線通信システムの一種であり、ＲＦＩＤは物品に取り付けることにより動かされたり、動いたりして、そして地上又は建物に取り付けられたアンテナで無線通信を行う。リーダはアンテナとＲＦＩＤ間の通信を制御し、又はコンピュータのような上位装置とＲＦＩＤ間でプロトコル交換を行う。最近は、組み込み型アンテナを備えるリーダが多い。
【０００３】
ＲＦＩＤはＲＦＩＤシステム構成要素の１つである。ＲＦＩＤは以下の３つの条件を同時に満足させる必要がある：
（i）寸法は持ち運びに便利であること；（ii）電子回路に情報を記憶させること；及び（iii）通信は非接触通信により行われること。従って、フロッピディスク、磁気カード、接触式ＩＣカード等はデータの記憶や運搬に便利であるが、それらはＲＦＩＤには含まれない。ＲＦＩＤは広く非接触式ＩＣカード（ＲＦカード）を含めるが、それは一般にＲＦタグと呼ばれる。
【０００４】
ＲＦＩＤは、ＲＦＩＤタグが取り付けられる物品及びその物品上の情報識別に使用される。換言すると、製品が存在する時や場所では、必要とする情報を取り出すことができ、必要な場合は、新しい情報を書きとめることができる。ＲＦＩＤを使用する時、我々は必要な情報を情報センタへ要求し、そしてその応答を受信するのに要する時間を節約することができる。更に、このＲＦＩＤシステムは、情報の配分工程の容易さや情報システムの簡素化のような利点を有する。特に、自動処理ラインで使用される自動識別手段は、ＲＦＩＤが適している振動、衝撃、水や油、高温やダスト等のような過酷な環境には耐えねばならない。更に、１つの製造ライン上でバッチ生産が行われ、そして目標対象物上の情報の頻繁な変更が必要な場合に、ＲＦＩＤはより適している。ＲＦＩＤは、製造工程や物流センタのような比較的初期の物流段階でのバーコードの代わりに使用されたが、それはこのような流通段階のような最終流通段階へ向かって次第に伸展する傾向である。
【０００５】
ＲＦＩＤタグは物品に取り付けできるＲＦＩＤのことをいい、ＦＡ（工場オートメーション）分野では有益である。ＲＦＩＤタグは主としてチップとアンテナで構成され、そしてＲＦＩＤタグを保護するため、カプセル化処理による完成形状を有する。ＲＦＩＤタグは、ユーザがその目的に適した形状を選択できるカプセル化方法により、クレジットカード、棒、コイン、ラベル等のような様々な形状を有する。ＲＦＩＤタグは部品の形で、個別に分離され、製作される。以降、部品の形で予め製作されたＲＦＩＤタグは“個別ＲＦＩＤタグ”と称する。
【０００６】
しかし、複数のＲＦＩＤタグがＲＦＩＤシステム（例えば位置管理システム）を形成するために必要な場合、以前の個別ＲＦＩＤタグには、以下の問題が見られる。
【０００７】
第１に、個別ＲＦＩＤタグの各々は同じ外観を有し、このため互いに区別ができない。
【０００８】
第２に、ＲＦＩＤシステムを構成するＲＦＩＤタグが一定間隔で設置される場合でさえ、それらは１つずつ個別に設置されなければならないため、非常に面倒である。
【０００９】
第３に、個別ＲＦＩＤタグの設置工程での各個別ＲＦＩＤタグのＩＤ確認のため、ユーザはタグを１つずつ読み取らなければならない。更に、ＲＦＩＤのカプセル化工程中又はそれ以後に、各個別ＲＦＩＤタグの表面にＩＤを書きとめる場合でも、これらの個別ＲＦＩＤタグは１つずつ互いに分離しているので、設置工程でこれらのタグの順序を保つことは困難である。更に、一旦その順序が散乱してしまうと、管理はより困難になる。
【００１０】
第４に、設置される複数の個別ＲＦＩＤタグが増加すると、これらの問題の深刻さはより増加する。
【００１１】
従って、個別ＲＦＩＤタグの設置にかなりの時間と努力が必要となり、同時に不必要な混乱が発生する。
【発明の開示】
【発明が解決しようとする課題】
【００１２】
この発明は上記問題の解決を提案し、そしてこの発明の目的は、複数のＲＦＩＤタグが必要な場合でさえ、ＲＦＩＤタグを１つずつ設置する必要なく、各ＲＦＩＤのＩＤを自動的に同時に計算することにより、複数のＲＦＩＤタグを同時に設置することにより、混乱なく僅かの時間と労力で作業を完了できるＲＦＩＤシステムを構築するＲＦＩＤシリーズを提供することである。
【課題を解決するための手段】
【００１３】
この発明の一態様によると、複数のＲＦＩＤタグをカバーで包装した後、紐状にカプセル化したＲＦＩＤシリーズが提供され、ここではＲＦＩＤタグがある接続間隔で連続して配置され、ＲＦＩＤタグ間の一定間隔を表示する区分又は色がカバー上にコード化される。
【００１４】
この発明の別の態様によると、ある空間をいくつかのゾーンに分割し、そしてＲＦＩＤシリーズの使用により、各ゾーンをそれらにマーキングするため、ＲＦＩＤタグを取り付けることにより、ある空間の位置管理システムを構築する方法が提供され、これは以下からなるゾーン長さを決定する；ゾーン長さに合った接続間隔（ｄ）を有するＲＦＩＤシリーズを設置する；ＲＦＩＤリーダの使用により設置されたＲＦＩＤシリーズの先頭及び後端に設置されるＲＦＩＤタグのＩＤを読み取り、そしてそれらを記録する；データベースからＲＦＩＤタグの配置順序とＩＤを観察し、そしてそれらを入力する；そしてＲＦＩＤタグのＩＤ、及び次に対応するゾーンＩＤを割当て、そしてデータベースで互いにマッチングさせる。
【発明の効果】
【００１５】
この発明のＲＦＩＤシリーズによると、従来技術の技術的問題を以下のように解決することができる。
【００１６】
第一に、個別ＲＦＩＤタグの各々が互いに区別できなかった問題を解決することができる。即ち、ＲＦＩＤシリーズは、１つの線により互いに接続され、これにより自動的に区別されるＲＦＩＤタグ１００を提供する。
【００１７】
第２に、個別ＲＦＩＤタグの各々は１つずつ設置されなければならないという問題を解決することができる。即ち、ＲＦＩＤシリーズは一体的に接続され、これにより１つのＲＦＩＤシリーズの設置は、複数のＲＦＩＤタグ１００を同時に設置する効果を提示することができる。
【００１８】
第３に、個別ＲＦＩＤタグは確認のため、ＲＦＩＤリーダの使用により読み取られなければならないという問題、及び個別ＲＦＩＤタグは分離されていたという問題を解決することができる。即ち、ＲＦＩＤシリーズでＲＦＩＤタグ１００が一列でＩＤ順に配置され、又は配置されたＲＦＩＤタグ１００ＩＤの配置順序が個別に観察することが可能である。従って、一旦１つのＲＦＩＤタグ１００ＩＤが読み取られると、そのＩＤの前後のＩＤが自動的に分かる。更に、ＲＦＩＤシリーズは複数のＲＦＩＤタグ１００を集めることにより、まとめてカプセル化され、これによりタグ分離の問題は生じない。
【００１９】
第４に、複数の個別ＲＦＩＤタグを増加させる場合に発生する問題の深刻さを解決することができる。即ち、ＲＦＩＤシリーズは複数のＲＦＩＤタグ１００を増加させる場合、その価値ある有効性を提示する。
【００２０】
第５に、複数のＲＦＩＤタグ１００は個別ではなく一体的にカプセル化されるので、工程では費用削減効果がある。
【発明を実施するための最良の形態】
【００２１】
上記のように、この発明は、カバー２００を備える複数のＲＦＩＤタグ１００の包装後、紐状にカプセル化されたＲＦＩＤシリーズを提供する。ＲＦＩＤタグ１００は一定間隔で連続的に配置され、そしてＲＦＩＤタグ１００間の接続間隔（ｄ）を表示する区分又は色がカバー２００上へコード化される。
【００２２】
図１はこの発明の一典型的実施例によるＲＦＩＤシリーズのＲＦＩＤタグを示す。
【００２３】
ＲＦＩＤタグ１００には、それらを保護するケースにより囲まれたチップとアンテナがある。これらのＲＦＩＤタグ１００の構築は、従来のＲＦＩＤタグのそれと同じであり、従って、その詳細記述は省略する。しかしこの発明によるＲＦＤＩタグ１００は、以下で説明するカバー２００により包装され、そして紐状にカプセル化されなければならない。このため、ケースはカバー２００へ取り付けられる接着ラベルから作られることが望ましい。
【００２４】
図２はＲＦＩＤシリーズのカバー、及びカバーで包まれた複数のＲＦＩＤタグを備えるカプセル化されたＲＦＩＤシリーズを示す。
【００２５】
カバー２００は複数のＲＦＩＤタグ１００を包装し、そしてそれらを紐状にカプセル化する。換言すると、複数のＲＦＩＤタグ１００が配置され、次にそれらは長い電線（以後“ＲＦＩＤシリーズ”と称する）のようなＲＦＩＤタグ接続体を形成するため、それらを一時にカバー２００で包む。ＲＦＩＤタグ１００のケースがカバー２００へ十分取り付けることができる接着ラベルからできている場合、複数のＲＦＩＤタグ１００のカプセル化工程がより容易に実施される。即ち、この場合、この発明によるＲＦＩＤシリーズは、カバー２００が複数のＲＩＦＤタグ１００を包装する必要なく、ＲＦＩＤタグ１００をカバー２００へ取り付けることにより簡単に製作することができる。このようなカバー２００は曲げることができる柔軟な材料からできており、長さ方向に垂れ下がったＲＦＩＤの形状である。
【００２６】
この発明によるＲＦＩＤは、周波数帯等のような技術的違い、ＲＦＩＤタグ１００間の間隔、カバー２００の品質等に基づき分類されるＲＦＩＤタグ１００の型により変化する。
【００２７】
ＲＦＩＤシリーズでは、一定間隔でＲＦＩＤタグ１００を連続的に配置することが望ましい。ＲＦＩＤシステムを構成するＲＦＩＤタグが一定間隔で設置される場合でさえ、作業者は個別ＲＦＩＤタグの各々を１つずつ設置しなければならないので、従来のＲＦＩＤシステムでは、かなりの時間と労力を必要とする問題があった。このような問題を解決するため、ＲＦＩＤシリーズ上のＲＦＩＤタグ１００が一定間隔（ｄ）で連続的に配置される場合、ある空間への１つのＲＦＤＩシリーズだけの設置は一定間隔（ｄ）で複数のＲＦＩＤ１００を同時に設置する効果を提示することができる。そのようなことで、一定間隔（ｄ）でＲＦＩＤタグ１００を連続的に配置する必要性は、以下に詳細に説明する上記理由のみに限定されない。
【００２８】
ＲＦＩＤシリーズ上のＲＦＩＤタグ１００間の接続間隔（ｄ）は１つの数値に限定されない。即ち、ＲＦＩＤシリーズは、目的または用途等により、ＲＦＩＤタグ１００間の接続間隔（ｄ）を変化させることにより製造することができる。このような場合、ＲＦＩＤシステムを設置しようとする人は、所望するＲＦＩＤ設置間隔（ｄ）に対応するＲＦＩＤタグ１００間の接続間隔（ｄ）を有するＲＦＩＤを選択的に購入し、設置することができる。ＲＦＩＤタグ１００間の接続間隔（ｄ）が１０００mmの場合のＲＦＩＤシリーズを図２を参照して説明する。
【００２９】
この場合、この発明によるＲＦＩＤのカバー２００上に、ＲＦＩＤタグ１００間の接続間隔（ｄ）を表示する区分又は色をコード化することが望ましい。もし区分又は色をカバー２００表面上にコード化すれば、作業者は、作業者により設置されようとするＲＦＩＤシリーズで、ＲＦＩＤタグ１００が配置される間隔を確認することができる。従って、様々なＲＦＩＤタグ１００間の接続間隔（ｄ）を有するＲＦＩＤシリーズを互いに明確に区別することができる。ＲＦＩＤシリーズを購入又は設置する際に、混乱を生ずる可能性はない。更に、我々はある空間においてＲＦＩＤシリーズを設置する工程、又は設置後のＲＦＩＤの設置位置や数量を明確に把握することができる。参考として、図２は連続して配置されたＲＦＩＤタグ１００の各々が１０に分割される状態を示す；色は１００mm間隔で交差する；そして関係するＲＦＩＤシリーズ上のＲＦＩＤタグ１００間の接続間隔（ｄ）が１０００mmであるとの情報を示すため、１００mm単位の区分を各タグ上にマーキングする。
【００３０】
更に、この発明によるＲＦＩＤシリーズにおいては、ＲＦＩＤタグ１００をＩＤ順に連続的に配置することが望ましい。これは従来のＲＦＩＤシリーズは以下の欠点を有するからである：個別ＲＦＩＤタグの設置工程において、各ＲＦＩＤタグは、各個別ＲＦＩＤタグのＩＤを確認するため、ＲＦＩＤリーダの使用により１つずつ読み取られなければならない。たとえＩＤがＲＦＩＤのカプセル化工程中又はその後に各個別ＲＦＩＤタグ表面上に書きとめられても、これらの個別ＲＦＩＤタグが１つずつ分離されるので設置工程でそれらの順序（各個別ＲＦＩＤタグのＩＤのＲＦＩＤシリーズ順序）を維持することは困難であり、そして分離後、これらのタグを管理することはより困難である。これらの問題を解決するため、以下の利点を備える。ＲＦＩＤシリーズ上のＲＦＩＤタグがＩＤ順に連続して配置される場合で、一旦作業者がある空間にＲＦＩＤシリーズの１つを設置し、次に先頭ＲＦＩＤタグ１００のＩＤを読み取り、そして設置されたＲＦＩＤシリーズの後端ＲＦＩＤタグ１００を読み取る。こうして、全てのＲＦＩＤタグ１００のＩＤが各個別ＲＦＩＤタグのＩＤを確認することなく、一時に自動的に把握することができる。
【００３１】
もしＩＤ順にＲＦＩＤタグ１００を連続的に配置することにより、この発明によるＲＦＩＤシリーズを製作することができない場合、以下の方法が利用できる。
【００３２】
（１Ｓ）ＲＦＩＤシリーズをＩＤ順序に関係なく、ランダムにＲＦＩＤタグ１００を配置することにより準備する。
【００３３】
（２Ｓ）（１Ｓ）工程で形成されたＲＦＩＤシリーズ上に配置される、ＲＦＩＤタグ１００のＩＤを読み取り、そして記録することによりデータベースを準備する（以降“ＲＦＩＤタグＩＤ配置情報と呼ぶ”）。例えば、ＲＦＩＤタグＩＤ配置情報を以下の形式で構築する。１：ＩＤ２５３、２：ＩＤ２０、３：ＩＤ７、４：ＩＤ１５４、５：ＩＤ３４、６：ＩＤ８１７、７：ＩＤ６７３２、８：ＩＤ４７０、９：ＩＤ７８、・・・。
【００３４】
（３Ｓ）ＲＦＩＤシリーズの販売者は、様々な記録媒体を介して、上記（２Ｓ）工程で形成されたＲＦＩＤタグＩＤ配置情報をＲＦＩＤシリーズの消費者に提供する。例えば、ＲＦＩＤシリーズの販売者は、ＲＦＩＤシリーズの販売と同時に、関係するＲＦＩＤシリーズのＲＦＩＤタグＩＤ配置情報を含むディスケットを消費者へ提供することができる。この場合、ＲＦＩＤシリーズの消費者は、ＲＦＩＤシリーズ上で接続された、いくつかのＲＦＩＤタグ１００の１つのＩＤを読み取った後、ＲＦＩＤタグＩＤ配置情報を観察することにより、ＲＦＩＤタグ１００の周りのＲＦＩＤタグ１００のＩＤを容易に見付けることができる。一方、インターネットを介してＲＦＩＤタグＩＤ配置情報を観察することが望ましい。即ち、もしＲＦＩＤシリーズの消費者がＲＦＩＤシリーズの販売者（又は製作者）のウェブサイトへ進入し、購入されたＲＦＩＤシリーズの先頭ＲＦＩＤタグと後端ＲＦＩＤタグのＩＤを入力するならば、ＲＦＩＤシリーズの販売者（又は製作者）のサーバは、入力された２つのＲＦＩＤタグ間に存在するＲＦＩＤタグ上のＲＦＩＤタグＩＤ配置情報を消費者へ提供する。上記方法は、ＲＦＩＤシリーズをＲＦＩＤタグ１００のＩＤ順に連続的に配置する場合に得られる効果と同一効果を呈する。
【００３５】
一方、カバー２００上のＩＤとＲＦＩＤタグ１００の配置順序を書きとめることがより望ましい。もしＲＦＩＤタグ１００のＩＤと配置順序をカバー２００表面へ書きとめるならば、彼が設置しているＲＦＩＤシリーズに含まれるＲＦＩＤタグ１００情報を迅速に確認することにより、作業者は設置を行うことができるので、効率はより増加するだろう。
【００３６】
ＲＦＩＤシリーズのこのような有効性を、以下に説明するように、より明確に理解することができる。
【００３７】
第１に、目標空間に複数のＲＦＩＤタグを設置するため、空間を分割する工程が必要であるが、長さはマーキングされ、色がＲＦＩＤシリーズ上にコード化されるので分割工程を省略できる。即ち、一旦作業者はＲＦＩＤタグを設置するための間隔を簡単に決定し、間隔に対応する間隔特性（即ち、ＲＦＩＤタグ１００間の接続間隔）を有するＲＦＩＤシリーズを選択し、そして設置すると、ＲＦＩＤシリーズ上の長さ表示は空間分割機能を当然有するだろう。
【００３８】
第２に、分割されたゾーンの各々にＲＦＩＤを取り付けた後、ＲＦＩＤタグを読み取ることにより、関係ゾーン上の情報を得るため、ゾーンＩＤと予めゾーンに設置されたＲＦＩＤタグのＩＤをマッチングさせる工程が必要である。個別ＲＦＩＤタグを使用する場合、各ゾーンにＲＦＩＤタグを設置した後、ＲＦＩＤリーダを使用して、設置された全ＲＦＩＤタグのＩＤを実際に読み取ることにより、ゾーンＩＤとＲＦＩＤのＩＤを１つずつマッチングさせる工程が必要であった。裸眼で一般的な個別ＲＦＩＤタグを区分することはできないので、この工程は基本的に必要であった。この工程の代わりに、我々はＲＦＩＤタグの設置に先立ち、全てのＲＦＩＤタグを読み取り、各ＲＦＩＤタグが取り付けられるゾーンを決定し、そしてＲＦＩＤタグ表面にＩＤゾーンをペンで書きとめるか又は印刷することを考慮する。しかし、この作業も非常に面倒であり、混乱を発生しやすい。
【００３９】
ＲＦＩＤタグを使用する場合、ＲＦＩＤシリーズ上のＲＦＩＤタグ１００のＩＤを既に知っているので、我々はＲＦＩＤリーダを使用してＩＤの読み取り工程を省略してもよい。更に、ＲＦＩＤシリーズの設置後、ＲＦＩＤタグ１００ＩＤに対応するため、我々は簡単にＩＤを割り当てられる。
【００４０】
本棚面をゾーンに分割し、図書館の長い本棚面の位置を管理するため、各ゾーンを表示するＲＦＩＤタグをゾーンへ取り付ける場合、個別ＲＦＩＤを使用するならば、以下のステップが必要である：
本棚面のゾーン長を決定する。
上記（１）で決定された長さを定規で測定することにより本棚面上にゾーンをマーキングし、そして各ゾーンにＩＤ（ゾーンＩＤ）を割り当てる。
複数の分割されたゾーンと同じ複数のＲＦＩＤタグを準備する。
準備したＲＦＩＤタグを各ゾーンへ１つずつ取り付ける。
ＲＦＩＤリーダの使用により、各ゾーンへ取り付けられたＲＦＩＤタグのＩＤを読み取り、そしてそれらをデータベースへ入力する。
上記（５）で読み取られたＲＦＩＤタグが取り付けられるゾーンのＩＤを確認し、そしてそれをデータベース上のＲＦＩＤタグＩＤとマッチングさせる。
全ての取り付けられたタグを読み取る迄、上記（５）と（６）を繰り返す。
【００４１】
上記ステップは非常に面倒であり、ＲＦＩＤタグの数量を増加させる場合、混乱を発生させるようである。特に、ステップ（２）、（４）、（５）、と（６）は非常に労働集約的である。
【００４２】
しかし、上記ステップを、本発明によるＲＦＩＤシリーズの使用により、容易にかつ効果的に実施することができる。図３は以下で説明するこの発明によるＲＦＩＤの使用により、複数のＲＦＩＤタグを目標空間へ設置する状態を示す。
【００４３】
（１ａ）本棚面のゾーン長さを決定する。
（２ａ）上記（１）で決定された長さに対応する間隔特性を有するＲＦＩＤシリーズを選択し、それを本棚上に設置する。
（３ａ）上記（２ａ）で設置されたＲＦＩＤの先頭と後端におけるＲＦＩＤタグのＩＤを読み取り、そして記録する。この時、ＲＦＩＤシリーズは、最初にその基本的特性としてそれらを提供するので、先頭ＲＦＩＤタグと後端ＲＦＩＤタグ間のＩＤとＲＦＩＤタグの配置順序を別々に読み取ることは必要ではない。更に、本棚面のゾーンはＲＦＩＤシリーズ面の長さマーキング区分により自動的にマーキングされる。換言すると、従来技術におけるように、それらを測定することにより、ゾーンを１つずつ分割する工程は必要ではない。
（４ａ）データベースのＲＦＩＤシリーズと共に備えられるＲＦＩＤタグのＩＤを入力し、ＲＦＩＤのＩＤに対応するゾーンＩＤをゾーンＩＤ順に割り当て、そしてそれらをマッチングさせる。
【００４４】
ＲＦＩＤシリーズ面のＲＦＩＤタグ順序が固定され、間隔は一定であるので、上記方法はＲＦＩＤシリーズ上の従来の個別ＲＦＩＤタグを使用する方法より簡単であり、かつ効果的である。即ち、本棚面上のゾーンをマーキングする工程は省略される。更に、ＲＦＩＤタグの全てを１つずつ読み取る必要はない。最後に、ゾーンＩＤをＲＦＩＤタグＩＤとマッチングさせる工程を簡単に解決することができる。
【００４５】
その結果、この発明は空間をいくつかのゾーンに分割し、そしてＲＦＩＤタグを使用して、各ゾーンへそれらをマーキングするためのＲＦＤＩタグを取り付けることにより、ある空間を管理する位置管理システムを構築する方法を提供する。この方法は：ゾーンの長さを決定するＳ１１０；ゾーン長に合わせた接続間隔（ｄ）を有するＲＦＩＤシリーズを設置するＳ１２０；ＲＦＩＤリーダの使用により、設置されたＲＦＩＤシリーズの先頭と後端に設置されたＲＦＩＤタグのＩＤを読み取り、そしてそれを記録するＳ１３０；データベースでＲＦＩＤタグの配置順序とＩＤを観察し、そしてそれらを入力するＳ１４０；そしてＲＦＩＤタグのＩＤと対応するゾーンＩＤを順に割り当て、そしてデータベース内でそれらをマッチングさせるＳ１５０。
【００４６】
一旦ステップ１３０でＲＦＩＤシリーズの先頭と後端のタグＩＤを読み取り、そして記録すると、ステップ１４０で最初に基本的特性として提供されるＲＦＩＤシリーズの先頭と後端間のＲＦＩＤタグのＩＤと配置順序を読み取る必要はない。即ち、ユーザはＲＦＩＤシリーズの先頭ＲＦＩＤタグと後端ＲＦＩＤタグ間のＲＦＩＤタグの配置順序を等差級数的に推測するか、又は従来技術におけるように、ＲＦＩＤリーダの使用により、全ての設置された個別ＲＦＩＤタグを１つずつ読み取ることにより、確認工程なしでカバー２００上に書きとめられたＲＦＩＤタグの配置順序とＩＤを簡単に確認し、そして入力できる。
【００４７】
ＲＦＩＤシリーズ上のＲＦＩＤタグ１００がＩＤ順に連続的に配置される場合、もしＲＦＩＤシリーズの先頭ＲＦＩＤタグの配置順序と対応するＩＤが、夫々“１”と“ＩＤ１２”であり、そしてＲＦＩＤシリーズの後端ＲＦＩＤタグの配置順序と対応するＩＤが夫々“７”と“ＩＤ１８”であれば、ＲＦＩＤシリーズ先頭ＲＦＩＤタグと後端ＲＦＩＤタグ間のＲＦＩＤタグの配置順序とそれらの対応するＩＤが、昇順に夫々“２、３、４、５と６”及び“ＩＤ１３、ＩＤ１４、ＩＤ１５、ＩＤ１６とＩＤ１７”であるので、作業者は結果の値をデータベースへ簡単に入力できる。ＲＦＩＤシリーズ上のＲＦＩＤタグ１００がＩＤ順序に関係なく、ランダムに配置される場合、もしＲＦＩＤシリーズの先頭ＲＦＩＤタグのＩＤが“ＩＤ７”であり、後端ＲＦＩＤタグのＩＤが“ＩＤ７８”であり、そして関係するＲＦＩＤシリーズのＲＦＩＤタグ配置情報が、“１：ＩＤ２５３、２：ＩＤ２０、３：ＩＤ７、４：ＩＤ１５４、５：ＩＤ３４、６：ＩＤ８１７、７：ＩＤ６７３２、８：ＩＤ４７０、９：ＩＤ７８、・・・”であれば、関係するＲＦＩＤシリーズの先頭ＲＦＩＤタグと後端ＲＦＩＤタグ間のＲＦＩＤタグのＩＤは、夫々“ＩＤ１５４、ＩＤ３４、ＩＤ８１７、ＩＤ６７３２、ＩＤ４７０”、であるので作業者は観察結果をデータベースへ簡単に入力できる。
【００４８】
一方、ステップ１５０において、ＲＦＩＤタグのＩＤとゾーンＩＤをマッチングさせる工程は、ＲＦＩＤリーダの使用により設置された個別ＲＦＩＤタグを全て読み取り、そしてそれらのＩＤを確認し、そして確認されたＲＦＩＤタグのＩＤに対応するゾーンＩＤを１つずつ割り当てることなく、ステップ１４０で確認されたＲＦＩＤシリーズ上へＲＦＩＤタグＩＤとそれらの対応するゾーンＩＤを同時に割り当てることにより完了する。
【００４９】
即ち、上記例から見られるように、ＲＦＩＤシリーズ上のＲＦＩＤタグのＩＤが順に“ＩＤ１２、ＩＤ１３、ＩＤ１４、ＩＤ１５、ＩＤ１６、ＩＤ１７、及びＩＤ１８”のように、又はランダムに“ＩＤ１５４、ＩＤ３４、ＩＤ８１７、ＩＤ６７３２、及びＩＤ４７０”のように配置される場合でさえ、作業者は、データベースで、順に“ゾーン１、ゾーン２、ゾーン３、ゾーン４、ゾーン５、ゾーン６及びゾーン７”のように複数のＲＦＩＤタグに対応する番号を有するゾーンＩＤを簡単に入力でき、それによりＲＦＩＤタグのＩＤとゾーンＩＤはマッチングするだろう。
【００５０】
上記実施例は単なる例であり、この発明の要素の範囲内で多くの代案、修正及び変更は、この発明が属する技術の専門家には明らかであろう。従って、この発明で開示された例及び付属図面は限定のためではなく、この発明の技術的特徴を説明するために提供される。この発明の技術的特徴はこれらの例及び付属図面により限定されない。この発明の保護範囲は以下の特許請求の範囲に基づき解釈されるべきであり、同一範囲内の技術的特徴は、全てこの発明範囲に含まれると解釈されるべきである。
【産業上の利用可能性】
【００５１】
この発明は、複数のＲＦＩＤタグが必要な場合でも、ＲＦＩＤタグを１つずつ設置する必要なく、同時に複数のＲＦＩＤタグを設置し、そして各ＲＦＩＤのＩＤを自動的に一斉に計算することにより、混乱なく僅かな時間と労力で作業を完了することができるＲＦＩＤシステムを構築するＲＦＩＤシリーズを提供することである。従って、もしこの発明が在庫管理又は倉庫分野へ導入されれば、その実用的、経済的価値を十分達成することができる。
【図面の簡単な説明】
【００５２】
【図１】この発明の一典型実施例によるＲＦＩＤシリーズのＲＦＩＤタグを示す。
【図２】ＲＦＩＤシリーズのカバー、及びカバーで包まれた複数のＲＦＩＤタグを備えるカプセル化されたＲＦＩＤシリーズを示す。
【図３】この発明によるＲＦＩＤシリーズの使用による目標空間への複数のＲＦＩＤタグの設置状態を示す概念図である。
【図１】
2009523286.tif 000003
【図２】
2009523286.tif 000004
【図３】
2009523286.tif 000005
【国際調査報告】
2009523286.tif 000006
2009523286.tif 000007